(57)【要約】【課題】トレイの数を削減することができ、パスも簡略化することができる原稿読取装置及び画像形成装置を提供する。【解決手段】画像読取装置６６は、スキャナ部６８と原稿給排紙部７０とを有する。スキャナ部６６は、原稿を受入れる原稿受入れ口７６と、この原稿受入れ口７６から受入れた原稿を読み取る読取手段１００と、この読取手段１００により読み取られた原稿を排出する原稿排出口７８とを有する。原稿給排紙部７０は、複数の原稿給排紙トレイ７２ａ〜７２ｄと、該原稿給排紙トレイ７２ａ〜７２ｄを移動させる移動手段１０８とを有する。原稿給排紙トレイ７２ｂ上の原稿束の読み取りが終了すると、原稿給排紙トレイ７２ａ〜７２ｄが一段下降し、次の原稿給排紙トレイ７２ｃ上の原稿束が読み取られ、原稿給排紙トレイ７２ｂに排出される。【選択図】図３
2007197104.tif 000002
【特許請求の範囲】
【請求項１】
原稿を受入れる原稿受入れ口、この原稿受入れ口から受入れた原稿を読み取る読取手段及びこの読取手段により読み取られた原稿を排出する原稿排出口を有するスキャナ部と、
原稿給排紙トレイ及び該原稿給排紙トレイを移動させる移動手段を有する原稿給排紙部と、
前記スキャナ部の原稿受入れ口へ原稿の供給を終えた原稿給排紙トレイを前記スキャナ部の原稿排出口へ移動させるように前記移動手段を制御する制御手段と、
を有する原稿読取装置。
【請求項２】
前記原稿給排紙トレイは、少なくとも３つあり、前記スキャナ部の原稿受入れ口へ１つの原稿束の供給を終えた原稿給排紙トレイに次の原稿束が排出される請求項１記載の原稿読取装置。
【請求項３】
前記スキャナ部の原稿受入れ口と原稿排出口との間の距離と、前記少なくとも３つの原稿給排紙トレイ間の距離とが略同一である請求項２記載の原稿読取装置。
【請求項４】
前記スキャナの原稿受入れ口と原稿排出口とは略鉛直方向に隔てて形成され、前記移動手段は、前記原稿給排紙トレイを略鉛直方向に沿って移動させる請求項１乃至３いずれか記載の原稿読取装置。
【請求項５】
前記原稿給排紙トレイに積層される原稿をピックアップするピックアップロールと、このピックアップロールを、前記移動手段による前記原稿給排紙トレイの移動時に前記原稿給排紙トレイとの干渉を避ける位置に退避させる退避手段と、を有する請求項１乃至４いずれか記載の原稿読取装置。
【請求項６】
前記原稿給排紙トレイは、原稿の幅方向位置を規制するサイドガイドを有し、前記原稿給排紙トレイへの原稿排紙時には前記サイドガイドを倒す倒し機構を有する請求項１乃至５いずれか記載の原稿読取装置。
【請求項７】
原稿を受入れる原稿受入れ口、この原稿受入れ口から受入れた原稿を読み取る読取手段及びこの読取手段により読み取られた原稿を排出する原稿排出口を有するスキャナ部と、
原稿給排紙トレイ及び該原稿給排紙トレイを移動させる移動手段を有する原稿給排紙部と、
前記スキャナ部の原稿受入れ口へ原稿の供給を終えた原稿給排紙トレイを前記スキャナ部の原稿排出口へ移動させるように前記移動手段を制御する制御手段と、
画像を用紙に形成する像形成手段と、
を有する画像形成装置。
【請求項８】
前記像形成手段は、前記読取手段により読み取られた画像を用紙に形成する請求項７記載の画像形成装置。
【発明の詳細な説明】
【技術分野】
【０００１】
本発明は、原稿を読み取る原稿読取装置、及びプリンタ、複写機、ファクシミリ等の画像形成装置に関する。
【背景技術】
【０００２】
従来の原稿読取装置は、給紙トレイと排紙トレイとが１つずつ設けられ、１つの原稿束を給紙トレイに載置し、この給紙トレイから原稿読取手段に原稿を送り、排紙トレイに排出するようにしてある。このため、複数のジョブに係る複数の原稿束を読み取ろうとした場合、１つの原稿束を読み取る毎に給紙トレイ上に原稿束を載置しなければならず、読取効率が悪い。
【０００３】
そこで、給紙トレイと排紙トレイをそれぞれ複数設けて、複数ジョブの原稿束を各ジョブ毎に給紙トレイに載置でき、複数の給紙トレイから順次自動的に原稿が給紙されて読取が行われ、排紙トレイのそれぞれにジョブ毎に原稿束が排紙されるようにした原稿読取装置が提案されている（特許文献１）。
【０００４】
【特許文献１】特開２０００−２３８９５２号公報
【発明の開示】
【発明が解決しようとする課題】
【０００５】
しかしながら、特許文献１に記載された発明においては、給紙トレイと排紙トレイとをそれぞれ複数設ける構造であるから、トレイが数が多くなり、用紙パスが多数必要で複雑になるという問題点があった。
【０００６】
本発明の目的は、トレイの数を削減することができ、パスも簡略化することができる原稿読取装置及び画像形成装置を提供することにある。
【課題を解決するための手段】
【０００７】
本発明の第１の特徴とするところは、原稿を受入れる原稿受入れ口、この原稿受入れ口から受入れた原稿を読み取る読取手段及びこの読取手段により読み取られた原稿を排出する原稿排出口を有するスキャナ部と、原稿給排紙トレイ及び該原稿給排紙トレイを移動させる移動手段を有する原稿給排紙部と、前記スキャナ部の原稿受入れ口へ原稿の供給を終えた原稿給排紙トレイを前記スキャナ部の原稿排出口へ移動させるように前記移動手段を制御する制御手段と、を有する原稿読取装置にある。したがって、スキャナ部の原稿受入れ口へ原稿の供給を終えた原稿給排紙トレイをスキャナ部の原稿排出口へ移動させるようにしたので、給排紙トレイを給紙と排紙とに兼用することができ、トレイの数を削減することができ、パスも簡略化することができる。
【０００８】
好適には、前記原稿給排紙トレイは、少なくとも３つあり、前記スキャナ部の原稿受入れ口へ１つの原稿束の供給を終えた原稿給排紙トレイに次の原稿束が排出されるようにする。したがって、少なくとも３つの原稿給排紙トレイのうちの２つに原稿束を載置することにより複数のジョブに対する原稿束を一度に読み取ることができる。
【０００９】
また、好適には、前記スキャナ部の原稿受入れ口と原稿排出口との間の距離と、前記少なくとも３つの原稿給排紙トレイ間の距離とが略同一であるようにする。したがって、移動手段は、少なくとも３つの原稿給排紙トレイをまとめて移動することにより次の原稿給排紙トレイを原稿受入れ口と原稿排出口に合わせることができ、移動手段を簡略化することができる。
【００１０】
さらに、好適には、前記スキャナの原稿受入れ口と原稿排出口とは略鉛直方向に隔てて形成され、前記移動手段は、前記原稿給排紙トレイを略鉛直方向に沿って移動させるようにする。したがって、移動手段により原稿給排紙トレイが上下方向に移動するので、原稿読取装置の水平方向の幅を小さくすることができる。
【００１１】
また、好適には、前記原稿給排紙トレイに積層される原稿をピックアップするピックアップロールと、このピックアップロールを、前記移動手段による前記原稿給排紙トレイの移動時に前記原稿給排紙トレイとの干渉を避ける位置に退避させる退避手段と、を有する。したがって、この退避手段によりピックアップロールが原稿給排紙トレイに干渉するのを避けることができる。
【００１２】
また、好適には、前記原稿給排紙トレイは、原稿の幅方向位置を規制するサイドガイドを有し、前記原稿給排紙トレイへの原稿排紙時には前記サイドガイドを倒す倒し機構を有する。原稿給排紙トレイを給紙トレイとして用いる場合は、サイドガイドにより原稿の幅方向を規制できる一方、原稿給排紙トレイを排紙トレイとして用いる場合は、サイドガイドを倒すことができるので、サイドガイドが排出される原稿の邪魔ならず、排出される原稿をスムーズに受入れることができる。
【００１３】
本発明の第２の特徴とするところは、原稿を受入れる原稿受入れ口、この原稿受入れ口から受入れた原稿を読み取る読取手段及びこの読取手段により読み取られた原稿を排出する原稿排出口を有するスキャナ部と、原稿給排紙トレイ及び該原稿給排紙トレイを移動させる移動手段を有する原稿給排紙部と、前記スキャナ部の原稿受入れ口へ原稿の供給を終えた原稿給排紙トレイを前記スキャナ部の原稿排出口へ移動させるように前記移動手段を制御する制御手段と、画像を用紙に形成する像形成手段と、を有する画像形成装置にある。たがって、スキャナ部の原稿受入れ口へ原稿の供給を終えた原稿給排紙トレイをスキャナ部の原稿排出口へ移動させるようにしたので、給排紙トレイを給紙と排紙とに兼用することができ、トレイの数を削減することができ、パスも簡略化することができ、しかも像形成手段を有するので、プリンタ機能を備えることができる。
【００１４】
また、好適には、前記像形成手段は、前記読取手段により読み取られた画像を用紙に形成する。したがって、原稿を複写する複写機能を備えることができる。
【発明を実施するための最良の形態】
【００１５】
次に本発明の実施形態を図面に基づいて説明する。
図１において、本発明の実施形態に係る画像形成装置１０の概要が示されている。画像形成装置１０は、画像形成装置本体１２を有し、この画像形成装置本体１２内に像形成手段１４が搭載され、この画像形成装置本体１２の上部に後述する用紙排出部１６が設けられていると共に、この画像形成装置本体１２の下部に例えば２段の給紙ユニット１８，１８が配置されている。さらに、画像形成装置本体１２の下方には、オプションとして複数の給紙ユニットが配置できるようにしてある。
【００１６】
それぞれの給紙ユニット１８は、給紙ユニット本体２０と、用紙が収納される給紙カセット２２とを有する。給紙カセット２２の奥端近傍上部には給紙用ピックアップロール２４が配置され、この用紙用ピックアップロール２４の後方に用紙用リタードロール２６及び用紙用フィードロール２８が配置されている。
【００１７】
主搬送路３２は、用紙用フィードロール２８から用紙排出口３４までの用紙通路であり、この主搬送路３２は、画像形成装置本体１２の裏側（図１の左側面）近傍にあって、最下端の給紙ユニット１８から後述する定着装置３６まで略鉛直に形成されている部分を有する。この主搬送路３２の定着装置３６の上流側に後述する転写装置４２と像担持体４４が配置され、さらに転写装置４２と像担持体４４の上流側にレジストロール３９が配置されている。さらに、主搬送路３２の用紙排出口３４の近傍には用紙排出ロール４０が配置されている。
【００１８】
したがって、給紙ユニット１８の給紙カセット２２から用紙用ピックアップロール２４により送り出された用紙は、用紙用リタードロール２６及び用紙用フィードロール２８の協働により捌かれて最上部の用紙のみ主搬送路３２に導かれ、レジストロール３９により一時停止され、タイミングをとって後述する転写装置４２と像担持体４４との間を通って現像剤像が転写され、この転写された現像剤像が定着装置３６に搬送される。定着装置３６は、内部にヒータなどが設けられた加熱ロール３７と、この加熱ロール３７に対して圧接されて、加熱ロール３７と共にニップ部を形成する加圧ロール３８とを有し、搬送された用紙に転写された現像剤像に熱と圧力とを加えて、用紙に現像剤像を定着させる。現像剤像を定着された用紙は、用紙排出ロール４０により用紙排出口３４から排出部１６へ排出される。
【００１９】
ただし、両面印刷の場合は、反転路に戻される。即ち、主搬送路３２の用紙排出ロール４０の手前は二股に分かれ、その分かれた部分に切換装置４６が設けられていると共に、分けられた部分からレジストロール３９まで戻る反転路４８が形成されている。この反転路４８には搬送ロール５０ａ〜５０ｃが設けられており、両面印刷の場合には、切換装置４６が反転路４８を開く側に切り換えられ、用紙排出ロール４０に用紙の後端手前がかかる時点で排出ロール４０が反転し、用紙が反転路４８に導かれ、レジストロール３９、転写装置４２と像担持体４４及び定着装置３６を通って用紙排出口３４から用紙排出部１６へ排出されるものである。
【００２０】
用紙排出部１６は、画像形成装置本体１２に対して回動自在の傾斜部５２を有する。この傾斜部５２は、用紙排出口部分が低く、正面方向（図１の右方向）に向けて徐々に高くなるよう傾斜しており、用紙排出口部分を下端とし、高くなった先端を上端としている。この傾斜部５２は下端を中心に回動自在であるよう画像形成装置本体１２に支持されている。図１で２点鎖線で示すように、傾斜部５２を上方に回転して開いたときには、開放部５４が形成され、この開放部５４を介して後述するプロセスカートリッジ６４が脱着できるようにしてある。
【００２１】
像形成手段１４は、例えば電子写真方式のもので、感光体からなる像担持体４４と、この像担持体４４を一様帯電する例えば帯電ロールからなる帯電装置５６と、帯電装置５６により帯電された像担持体４４に、光により潜像を書き込む光書込み装置５８と、この光書込み装置５８により形成された像担持体４４の潜像を現像剤により可視化する現像機６０と、この現像機６０による現像剤像を用紙に転写する例えば転写ロールからなる転写装置４２と、像担持体４４に残存する現像剤をクリーニングする例えばブレードからなるクリーニング装置６２と、転写装置４２により転写された用紙上の現像剤像を用紙に定着させる定着装置３６とから構成されている。光書込み装置５８は例えば走査型のレーザ露光装置からなり、前述した給紙ユニット１８と平行で画像形成装置本体１２の正面近傍に配置され、現像機６０内を横切って像担持体４４を露光する。この像担持体４４の露光位置が潜像書込み位置Ｐとなる。
尚、この実施形態においては、光書込み装置５８として走査型のレーザ露光装置を用いたが、他の実施形態としてＬＥＤや面発光レーザ等を用いることができる。
【００２２】
プロセスカートリッジ６４は、像担持体４４、帯電装置５６、現像機６０及びクリーニング装置６２を一体化したものである。このプロセスカートリッジ６４は、用紙排出部１６の傾斜部５２に直近下方に配置されており、前述したように、傾斜部５２を開いたときに形成される開放部５４を介して着脱される。
【００２３】
画像形成装置本体１２の正面上部には、原稿読取装置６６が設けられている。この原稿読取装置６６は、画像形成装置本体１２の上部に固定されたスキャナ部６８と、このスキャナ部６８の正面側に固定された原稿給排紙部７０とから構成されている。スキャナ部６８は、前述したプロセスカートリッジ６４を脱着するときにプロセスカートリッジと干渉しない形状となっている。原稿給排紙部７０は、例えば４つの原稿給排紙トレイ７２ａ〜７２ｄを有し、これら原稿給排紙トレイ７２ａ〜７２ｄは、画像形成装置１０の正面側に突出し、該原稿給排紙トレイ７２ａ〜７２ｄに原稿を載置し、あるいは原稿を取り出す場合、画像形成装置１０の正面側あるいは側面側から行うことができるようにしてある。
なお、画像形成装置本体１２には、プリントモード、コピーモード、ファクシミリモード、スキャンモード等のモードやコピー枚数等を設定する設定器（図示せず）が設けられている。画像形成装置１０は、プリントモードに設定されている場合は、外部から入力された画像データに基づいて画像を用紙に形成する。コピーモードに設定されている場合は、原稿読取装置６６で読み取れた原稿画像データに基づいて画像を用紙に形成する。ファクシミリモードに設定されている場合は、原稿読取装置６６で読み取られた原稿画像データを送信先に送信する。スキャンモードに設定されている場合は、原稿読取装置６６で読み取られた原稿画像データを記憶装置に記憶させる。
【００２４】
図２及び図３において、原稿読取装置６６の詳細が示されている。スキャナ部６８は、スキャナ部本体７４を有し、このスキャナ部本体７４が前述した画像形成装置本体に固定されている。このスキャナ部本体７４の正面方向に向けて原稿受入れ口７６及び原稿排出口７８が開口している。この原稿受入れ口７６原稿排出口７８とは、鉛直方向に所定距離隔てて配置されている。原稿受入れ口７６は、原稿受入れシュート８０に接続され、この原稿受入れシュート８０には原稿用リタードロール８２とこの原稿用リタードロール８２に接する原稿用フィードロール８４とが設けられている。原稿受入れ口７６に受入れられた原稿は、原稿用リタードロール８２と原稿用フィードロール８４とにより捌かれて原稿受入れシュート８０に入る。また、原稿受入れシュート８０には原稿受入れ搬送ロール８６が設けられている。また、原稿排出口７８は、原稿排出シュート８８に接続され、この原稿排出シュート８８には原稿排出ロール９０，９２が設けられている。
【００２５】
プラテンロール９４は、原稿受入れシュート８０の出口及び原稿排出シュート８８の入口が接線方向となるように配置されている。このプラテンロール９４の下端はプラテンガラス９６が接し、このプラテンガラス９６を介して光源９８からの光が原稿に当たる。原稿に反射した光はプラテンガラス９６を介して原稿読取手段である例えばＣＣＤからなるイメージセンサ１００に受けられ、このイメージセンサ１００で受けられた光が電気信号に変換されて原稿画像として出力される。また、プラテンロール９４には、補助ロール１０２，１０４が接している。したがって、原稿受入れ口７６から受け入れられた原稿は、原稿受入れシュート８０に入り、原稿用リタードロール８２と原稿用フィードロール８４により捌かれ、原稿受入れ搬送ロール８６によりプラテンロール９４に搬送され、補助ロール１００，１０２によりプラテンロール９２の表面に沿うように方向転換され、光源９６からの光がプラテンガラス９６を介して反射され、イメージセンサ１００により読み取られ、原稿排出シュート８８に入り、原稿排出ロール９０，９２により搬送され、原稿排出口７８から排出される。
【００２６】
原稿給排紙部７０は、原稿給排紙部本体１０６を有し、この原稿給排紙部本体１０６に前述した原稿給排紙トレイ７２ａ〜７２ｄが略鉛直方向に向けて移動自在に設けられている。こられ原稿給排紙トレイ７２ａ〜７２ｄは、チェーン等からなる移動手段である昇降装置１０８に連結され、この昇降装置１０８により略鉛直方向に沿って移動制御される。原稿給排紙トレイ７２ａ〜７２ｄの距離は、前述したスキャナ部６８の原稿受入れ口７６と原稿排出口７８との間の距離と略等しい。したがって、図２に示すように、最も下方の原稿給排紙トレイ７２ａが原稿排出口７８と対向した位置にある場合は、下方から２番目の原稿給排紙トレイ７２ｂが原稿受入れ口７６に対向し、図３に示すように、一段下降した場合は、下方から２番目の原稿給排紙トレイ７２ｂが原稿排出口７８に対向し、下方から３番目の原稿給排紙トレイ７２ｃが原稿受入れ口７６に対向する。
【００２７】
なお、最も下方の原稿給排紙トレイ以外のトレイには、各トレイに原稿があるか否かを検出する原稿センサ１１０ａ〜１１０ｃが設けれている。
【００２８】
さらに、原稿受入れ口７６に対向する原稿給排紙トレイ７２ｂ〜７２ｄの先端上部にはピックアップロール１１２が配置される。このピックアップロール１１２は、図４に示すように、原稿用フィードロール８４と連結部材１１４を介して連結されている。この連結部材１１４は、原稿用フィードロール８４の支持軸を中心として回転自在であり、原稿受入れ口７６に対向する位置から原稿給排紙トレイ７２ｂ（又は７２ｃ）が下降した場合は、上方から下降して来る原稿給排紙トレイ７２ｃ（又は７２ｄ）とピックアップロール１１２との干渉を避けるためにピックアップロール１１２と共に例えば反時計方向に回転し、ピックアップロール１１２を干渉しない位置まで移動する。ピックアップロール１１２を退避させるための手段としては、モータにより連結部材１１４を回転させてもよいが、例えばラックとピニオンを用いたり、カムを用いる等により、原稿給排紙トレイ７２ｃ（７２ｄ）の下降と連動して連結部材１１４を回転させてもよい。
【００２９】
また、原稿給排紙トレイ７２ａ〜７２ｄには、図５に示すように、サイドガイド１１６が設けられている。このサイドガイド１１６は、載置される原稿の幅方向（搬送方向とは直角方向）の位置を規制するものであり、原稿受入れ口７６及び原稿排出口７８の双方に対向するように移動される原稿給排紙トレイ７２ｂ，７２ｃのサイドガイド１１６は、原稿排出口７８と対向する位置にある場合は、倒し機構１１８により倒されるようになっている。
【００３０】
倒し機構１１８は、原稿給排紙部本体１０６に設けれたレール１２０を有する。レール１２０は、鉛直方向に延びており、原稿受入れ口７６に対向する原稿受入れ位置ではスキャナ部から離れるように凹んでおり、原稿排出口７８に対向する原稿排出位置ではスキャナ部側へ突出するように形成されている。このレール１２０には作動バー１２２の一端が当接している。作動バー１２２は、原稿給排紙トレイ７２ｂ，７２ｃの底面部分で原稿給排出方向に摺動自在に支持されている。また、作動バー１２２は、原稿給排紙トレイ７２ｂ，７２ｃとの間に設けられた第１の弾性体１２４により反スキャナ部６８側へ引っ張られている。このため、作動バー１２２は、レール１２０の形状に沿って原稿給排出方向に移動する。
【００３１】
一方、サイドガイド１１６は回動軸１２６を有し、この回動軸１２６の周囲に設けられた例えばねじりばねからなる第２の弾性体１２８により原稿給排紙トレイ７２ｂ，７２ｃ上に立たされている。サイドガイド１１６には可動片１３０が下方に突出するように形成され、この可動片１３０が原稿給排紙トレイ７２ｂ，７２ｃに形成された摺動用孔１３２を介して下方に突出している。この可動片１３０は、斜めに形成されており、このため作動バー１２２が当たると、その分力によりサイドガイド１１６を第２の弾性体１２８に抗して倒すことができる。
なお、摺動用孔１３２は、原稿の幅方向に摺動自在であり、原稿の幅に合わせてサイドガイド１１６の幅方向位置を調節することができるようにしてある。サイドガイド１１６は、サイドレジであれば、１つであればよいが、センターレジの場合は、左右両側に設けることができる。また、この実施形態においては、排出位置でサイドガイド１１６を倒すようにしたが、他の実施形態として、載置する最大の原稿幅から離れる位置に移動させるようにしてもよい。
【００３２】
図６において、制御回路１３４には、前述した設定器１３６からの設定信号と原稿センサ１１０ａ〜１１０ｃからの検出信号が入力され、これらの信号を処理してスキャナ部６８及び原稿給排紙部７０を制御するようになっている。
【００３３】
図７において、設定器１３６によりスキャンモードに設定された場合の制御回路１３４による制御フローが示されている。
制御回路１３４は、まずステップＳ１０において、初期設定を行う。初期設定は、原稿給排紙トレイ７２ａ〜７２ｄを図２に示す位置に戻し、トレイ番号Ｎを例えば２に設定する。トレイ番号Ｎ＝２は、原稿給排紙トレイ７２ｂに対応し、トレイ番号Ｎ＝３は原稿給排紙トレイ７２ｃに対応し、トレイ番号Ｎ＝４は原稿給排紙トレイ７２ｄに対応する。
【００３４】
次のステップＳ１２においては、原稿センサ１１０ａ〜１１０ｃの出力に基づいてトレイ番号に対応する原稿給排紙トレイ７２ｂ〜７２ｄに原稿があるか否かを判定する。このステップＳ１２において、原稿があると判定された場合は、次のステップＳ１４に進み、原稿を原稿給排紙トレイ７２ｂ〜７２ｄから搬送し、次のステップＳ１６において、イメージセンサ１００により原稿の画像を読み取り、次のステップＳ１８で原稿を原稿給排紙トレイ７２ａ〜７２ｃに排出する。次のステップＳ２０においては、原稿を供給している原稿給排紙トレイ７２ｂ〜７２ｄ上の原稿があるか否かを判定する。ステップＳ２０において、原稿があると判定された場合はステップＳ１４に戻り、当該原稿給排紙トレイ７２ｂ〜７２ｄの原稿が無くなるまで繰り返す。ステップＳ２０において、当該原稿給排紙トレイ７２ｂ〜７２ｄの原稿が無くなったと判定された場合、及びステップＳ１２において、当初から原稿が載置されていないと判定された場合は、ステップＳ２２に進み、Ｎをインクリメントする。次のステップＳ２４においては、Ｎ＞４であるか否かを判定し、Ｎ＞４でないと判定された場合はステップＳ２６に進み、原稿給排紙トレイ７２ａ〜７２ｄを一段下げるように昇降装置１０８を制御し、ステップＳ１２に戻る。ステップＳ２２において、Ｎ＞４と判定された場合は処理を終了する。
【００３５】
即ち、スキャンモードに設定されると、図２に示す位置に各原稿給排紙トレイ７２ａ〜７２ｄが設定され、最も下方の原稿給排紙トレイ７２ａが原稿排出口７８と対向し、下方から２番目の原稿給排紙トレイ７２ｂが原稿受入れ口７６に対向する。そして、原稿給排紙トレイ７２ｂに載置された原稿束が無くなるまで原稿給排紙トレイ７２ｂ上の原稿が読み取れ、読み取られた原稿は原稿給排紙トレイ７２ａに排出される。原稿給排紙トレイ７２ｂの原稿が無くなると、原稿給排紙トレイ７２ａ〜７２ｄは、昇降装置１０８により一段下げられ、図３に示すように下方から２番目の原稿給排紙トレイ７２ｂが原稿排出口７８と対向し、下方から３番目の原稿給排紙トレイ７２ｃが原稿受入れ口７６に対向する。この状態で、原稿給排紙トレイ７２ｃに載置された原稿束が無くなるまで原稿給排紙トレイ７２ｃ上の原稿が読み取れ、読み取られた原稿は原稿給排紙トレイ７２ｂに排出される。この段階で原稿給排紙トレイ７２ｂは原稿の供給と排出を兼ねることになる。そして、さらに原稿給排紙トレイ７２ｃの原稿が無くなると、原稿給排紙トレイ７２ａ〜７２ｄは、昇降装置１０８により一段下げられ、下方から３番目の原稿給排紙トレイ７２ｂが原稿排出口７８と対向し、最上位の原稿給排紙トレイ７２ｄが原稿受入れ口７６に対向する。この状態で、原稿給排紙トレイ７２ｄに載置された原稿束が無くなるまで原稿給排紙トレイ７２ｄ上の原稿が読み取れ、読み取られた原稿は原稿給排紙トレイ７２ｃに排出される。この段階で原稿給排紙トレイ７２ｃは原稿の供給と排出を兼ねることになる。さらに原稿給排紙トレイを設けた場合には上記動作を繰り返し、ジョブに対応した複数の原稿束を順次自動的に読み取ることができる。
【産業上の利用可能性】
【００３６】
以上述べたように、本発明は、複数のジョブを自動的に読み取る画像読取装置及び画像形成装置に利用することができる。
【図面の簡単な説明】
【００３７】
【図１】本発明の実施形態に係る画像形成装置を示す側面図である。
【図２】本発明の実施形態に係る画像読取装置の初期状態を示す側面図である。
【図３】本発明の実施形態に係る画像読取装置の動作中の状態を示す側面図である。
【図４】本発明の実施形態に係る画像読取装置に用いたピックアップロール付近を示す側面図である。
【図５】（ａ）は本発明の実施形態に係る画像読取装置に用いた原稿給排紙トレイ付近を示す斜視図であり、（ｂ）は原稿給排紙トレイのサイドガイド付近を示す側面図であり、（ｃ）は（ｂ）の矢視ｃ方向の断面図である。
【図６】本発明の実施形態に係る画像形成装置における制御装置を示すブロック図である。
【図７】本発明の実施形態において、スキャンモード時の制御フローを示すフローチャートである。
【符号の説明】
【００３８】
１０  画像形成装置
１２  画像形成装置本体
１４  像形成手段
６６  原稿読取装置
６８  スキャナ部
７０  原稿給排紙部
７２ａ〜７２ｄ  原稿給排紙トレイ
７６  原稿受入れ口
７８  原稿排出口
９４  プラテンロール
９６  プラテンガラス
１００  イメージセンサ
１１０ａ〜１１０ｃ  原稿センサ
１１２  ピックアップロール
１１４  連結部材
１１６  サイドガイド
１１８  倒し機構
１２０  レール
１２２  作動バー
１３０  可動片
１３４  制御回路
【図１】
2007197104.tif 000003
【図２】
2007197104.tif 000004
【図３】
2007197104.tif 000005
【図４】
2007197104.tif 000006
【図５】
2007197104.tif 000007
【図６】
2007197104.tif 000008
【図７】
2007197104.tif 000009